(57)【要約】【課題】患者又は病理材料の取り違えを防止し、患者から採取された病理材料を確実に管理できる病理材料用容器を提供する。【解決手段】患者から採取した病理材料を固定する固定液が収容されている容器本体と、前記容器本体を密封する蓋体と、切り放し可能な状態で連接され、同一の容器シリアル番号が表示された複数のラベルからなるマルチラベルとを備え、前記複数のラベルの内、１枚の前記ラベルが前記蓋体に、残りの前記ラベルが前記容器本体に貼り付けられていることを特徴とする。【選択図】図２
2018004619.tif 000002
【特許請求の範囲】
【請求項１】
患者から採取した病理材料を固定する固定液が収容されている容器本体と、
前記容器本体を密封する蓋体と、
切り放し可能な状態で連接され、同一の容器シリアル番号が表示された複数のラベルからなるマルチラベルと、を備え、
前記複数のラベルの内、１枚の前記ラベルが前記蓋体に、残りの前記ラベルが前記容器本体に貼り付けられていることを特徴とする病理材料用容器。
【請求項２】
前記マルチラベルは、前記複数のラベルの内、一方の端に形成されている１枚の前記ラベルが前記蓋体の側壁に貼り付けられており、残りの前記ラベルが前記容器本体の側壁に貼り付けられていることを特徴とする請求項１記載の病理材料用容器。
【請求項３】
前記ラベルは、前記容器シリアル番号を示す２次元バーコードが表示されていることを特徴とする請求項１又は２に記載の病理材料用容器。
【請求項４】
前記マルチラベルは、薬剤耐性を有する材質により形成されていることを特徴とする請求項１〜３の何れか一項に記載の病理材料用容器。
【請求項５】
前記ラベルの表示は、薬剤耐性を有するインクによって行われていることを特徴とする請求項１〜４の何れか一項に記載の病理材料用容器。
【請求項６】
前記ラベルには、更にラベルシリアル番号が表示されていることを特徴とする請求項１〜５の何れか一項に記載の病理材料用容器。
【請求項７】
前記蓋体には、患者名を記入する記入部が形成されていることを特徴とする請求項１〜６の何れか一項に記載の病理材料用容器。
【請求項８】
前記容器本体に貼り付けられている前記ラベルは、内視鏡室看護記録、病理依頼書、病理材料受付記録簿、病理番号発行台帳及び病理カセットに貼り付けられることを特徴とする請求項１〜７の何れか一項に記載の病理材料用容器。
【請求項９】
前記蓋体は、ＲＦＩＤタグを備えることを特徴とする請求項１〜８の何れか一項に記載の病理材料用容器。
【発明の詳細な説明】
【技術分野】
【０００１】
本発明は、患者から採取した病理材料を収容し固定する病理材料用容器に関するものである。
【背景技術】
【０００２】
病理学検査のために患者から採取した病理材料は、アルコールやホルマリン等の固定液が入れられた病理材料用容器内に収容され、この病理材料用容器内で病理材料が固定される（例えば、特許文献１参照）。
【０００３】
このような病理材料用容器には患者や病理材料を特定するために患者の氏名が記載される。例えば病理材料が生検材料の場合には、内視鏡検査室等において病理材料が採取され、病理検査室へ搬送されることから、病理材料を管理するために病理材料用容器に表示された患者の氏名が内視鏡検査室で作成される内視鏡室看護記録や病理依頼書に書き写される。また病理検査室においては病理材料受付記録簿、病理番号発行台帳等に病理材料用容器に記載された患者の氏名が書き写される。
【先行技術文献】
【特許文献】
【０００４】
【特許文献１】特開２００７―３２７８０７号公報
【発明の概要】
【発明が解決しようとする課題】
【０００５】
上述のように病理材料用容器に記載されている患者の氏名を内視鏡室看護記録、病理依頼書、病理材料受付記録簿、病理番号発行台帳等に書き写しているため、書き写しの誤りにより患者の取り違えや病理材料の取り違え事故が生ずる可能性がある。
【０００６】
本発明の目的は、患者又は病理材料の取り違えを防止し、患者から採取された病理材料を確実に管理できる病理材料用容器を提供することである。
【課題を解決するための手段】
【０００７】
この発明の病理材料用容器は、患者から採取した病理材料を固定する固定液が収容されている容器本体と、前記容器本体を密封する蓋体と、切り放し可能な状態で連接され、同一の容器シリアル番号が表示された複数のラベルからなるマルチラベルとを備え、前記複数のラベルの内、１枚の前記ラベルが前記蓋体に、残りの前記ラベルが前記容器本体に貼り付けられていることを特徴とする。
【０００８】
またこの発明の病理材料用容器は、前記マルチラベルが、前記複数のラベルの内、一方の端に形成されている１枚の前記ラベルが前記蓋体の側壁に貼り付けられており、残りの前記ラベルが前記容器本体の側壁に貼り付けられていることを特徴とする。
【０００９】
またこの発明の病理材料用容器は、前記ラベルが前記容器シリアル番号を示す２次元バーコードが表示されていることを特徴とする。
【００１０】
またこの発明の病理材料用容器は、前記マルチラベルが薬剤耐性を有する材質により形成されていることを特徴とする。
【００１１】
またこの発明の病理材料用容器は、前記ラベルの表示が薬剤耐性を有するインクによって行われていることを特徴とする。
【００１２】
またこの発明の病理材料用容器は、前記ラベルに更にラベルシリアル番号が表示されていることを特徴とする。
【００１３】
またこの発明の病理材料用容器は、前記蓋体に患者名を記入する記入部が形成されていることを特徴とする。
【００１４】
またこの発明の病理材料用容器は、前記容器本体に貼り付けられている前記ラベルが内視鏡室看護記録、病理依頼書、病理材料受付記録簿、病理番号発行台帳及び病理カセットに貼り付けられることを特徴とする。
【００１５】
またこの発明の病理材料用容器は、前記蓋体がＲＦＩＤタグを備えることを特徴とする。
【発明の効果】
【００１６】
本発明によれば、患者又は病理材料の取り違えを防止し、患者から採取された病理材料を確実に管理できる病理材料用容器を提供することができる。
【図面の簡単な説明】
【００１７】
【図１】実施の形態に係る病理材料用容器の外観を示す図である。
【図２】実施の形態に係る蓋シール及びマルチラベルを貼り付けた病理材料用容器を示す図である。
【図３】実施の形態に係るマルチラベルの構造を示す図である。
【図４】実施の形態に係るラベルを貼り付けた各用紙を示す図である。
【図５】実施の形態に係る病理カセットを示す図である。
【図６】実施の形態に係る包埋皿の上に病理カセットを配置した状態を示す断面図である。
【図７】実施の形態に係るパラフィンブロックを示す断面図である。
【図８】実施の形態に係る他の病理材料用容器の蓋体を示す図である。
【図９】実施の形態に係る他の病理材料用容器の蓋体を示す図である。
【図１０】実施の形態に係るタグ書き込み装置を示す図である。
【発明を実施するための形態】
【００１８】
以下、図面を参照して実施の形態に係る病理材料用容器について説明する。図１は実施の形態に係る病理材料用容器の外観を示す図である。図１に示すように病理材料用容器２は、一端が閉じ他端８に開口部を有する円筒状の容器本体４と、容器本体４の開口部を密封する蓋体６を備えている。
【００１９】
容器本体４には、ホルマリン等の病理材料を固定するための固定液が収容されている。容器本体４は、他端８の近傍の外壁にねじ山４ａを有し、蓋体６は、内壁に容器本体４のねじ山４ａと螺合するねじ山（図示せず）を有している。容器本体４は、ねじ山４ａに蓋体６のねじ山を螺合させ、蓋体６で容器本体４の開口部を閉塞することにより密封されている。なお蓋体６によって容器本体４を密封した場合には、容器本体４の側壁と蓋体６の側壁とが面一となる。
【００２０】
蓋体６は、容器本体４の他端８が押し付けられる位置である蓋体６の内部にシリコンゴムシール１４を有している。従って容器本体４のねじ山４ａに蓋体６のねじ山を螺合させた場合に、シリコンゴムシール１４の潰れ感を知覚して容器本体４の密封を確認することができる。
【００２１】
図２は実施の形態に係る蓋シール及びマルチラベルを貼り付けた病理材料用容器を示す図である。内視鏡室等に保管されている病理材料用容器２には、その側壁にホルマリン、キシレン、アルコール等の薬剤に対して薬剤耐性を有する材質により形成されたマルチラベル１８が貼り付けられている。なお、図２においてはマルチラベル１８の左端部のみが容器本体４及び蓋体６の側壁に貼り付けられているが、実際にはマルチラベル１８の全体が容器本体４及び蓋体６の側壁に貼り付けられている。
【００２２】
病理材料用容器２の蓋体６の上面には、マルチラベル１８と同様に薬剤耐性を有する材質により形成された蓋シール１６が貼り付けられている。なお蓋シール１６には、病理材料用容器２に収容されている病理材料の患者名を記入する記入部及び看護師により押印がなされる押印部が形成されている。
【００２３】
マルチラベル１８は、切り放し可能な状態で連接されている複数のラベル２００〜２０７とラベル台紙２８とからなり、複数のラベル２００〜２０７の内、一方の端に形成されている１枚のラベル２００が蓋体６側の側壁、残りのラベル２０１〜２０７が容器本体４側の側壁に位置するように貼り付けられている。またラベル２００〜２０７のそれぞれの間には連接しているラベル２００〜２０７を切り放すためのミシン目２２が形成されている。
【００２４】
ラベル２００〜２０７には、病理材料用容器２を特定するための容器シリアル番号（ＡＢＣ１２３４）、容器シリアル番号の右に表示されるラベル２００〜２０７毎のラベルシリアル番号（０〜７の何れか）及び容器シリアル番号を示す２次元バーコードが印字されている。容器シリアル番号、ラベルシリアル番号及び２次元バーコードは、ホルマリン、キシレン、アルコール等の薬剤に対して薬剤耐性を有するインクによって印字されている。
【００２５】
図３は実施の形態に係るマルチラベルの構造を示す図である。ラベル台紙２８は、病理材料用容器２に貼り付ける面に粘着剤が塗布されて形成される粘着層３０を有すると共に、ラベル２００〜２０７が貼り付けられている面にラベル２００〜２０７を容易に剥離させる剥離層３２を有している。またラベル台紙２８は、病理材料用容器２から剥がしたときに、病理材料用容器２の側壁に一部が残留する等、剥がしたことが容易に識別できる改ざん防止構造を有している。
【００２６】
ラベル２００〜２０７は、表面に印字面２４を形成し、裏面に粘着層２６を有している。粘着層２６は、ラベル２００〜２０７の長手方向の一端部（図３において破線で示している領域）に形成される弱粘着領域２６ａ及び該一端部を除く領域に形成され弱粘着領域２６ａよりも粘着力が強い強粘着領域２６ｂによって構成されている。従って、ラベル２００〜２０７は、弱粘着領域２６ａが形成されている長手方向の一端部から弱い剥離力で容易に剥離することができる。
【００２７】
次に病理材料が内視鏡検査で患者から採取された生検材料である場合の内視鏡室での処理について説明する。ここで病理材料が収容される前の病理材料用容器２は、医療機関において容器本体４に固定液であるホルマリンが収容されている状態で蓋体６により密封され、マルチラベル１８が貼り付けられた状態で保管されている。
【００２８】
患者の診察を行なう医師は、患者に対して内視鏡検査を行なう必要があると認めた場合に、内視鏡検査を担当する内視鏡医師にその患者の内視鏡検査の実施を指示する。内視鏡室では内視鏡医師又は看護師が内視鏡検査を受ける患者の患者名を確認した後、内視鏡検査を実施する。内視鏡医師は、病理診断が必要と判断した場合には生検材料の採取を行なう。
【００２９】
患者から複数の生検材料３ａ〜３ｃを採取した場合には、内視鏡医師又は看護師は、生検材料３ａ〜３ｃを濾紙に貼り付け、濾紙に生検材料３ａ〜３ｃを識別する番号を記載する。看護師は、内視鏡検査を行なった患者名等を内視鏡室看護記録に記載し、生検材料３ａ〜３ｃを収容するための病理材料用容器２を用意する。そして病理材料用容器２に貼り付けられているラベル２０１を剥がし、図４（ａ）に示すように内視鏡室看護記録に貼り付ける。
【００３０】
次に看護師は、病理材料用容器２の蓋体６を開けて容器本体４内に生検材料３ａ〜３ｃを収容する。なお蓋体６を開けたとき、ラベル２００とラベル２０１との間及びラベル台紙２２は、ラベル２００とラベル２０１との間のミシン目２２の位置で破れて切り放される。看護師は生検材料３ａ〜３ｃを容器本体４内に収容した後、容器本体４を蓋体６によって密封し、蓋シール１６に患者名を記入し押印する。
【００３１】
内視鏡医師は、病理検査を依頼するための病理依頼書を作成し、病理材料用容器２に貼り付けられているラベル２０２を剥がし、図４（ｂ）に示すように病理依頼書に貼り付ける。そして内視鏡医師及び看護師は、内視鏡室看護記録に貼り付けられているラベル２０１、病理依頼書に貼り付けられているラベル２０２及び病理材料用容器２に貼り付けられているラベル２００が同一の容器シリアル番号であることを確認し内視鏡検査を終了し、患者は内視鏡室から退室する。また内視鏡室で採取された生検材料の搬送を行なう搬送者は、病理検査のために病理材料用容器２及び病理依頼書を内視鏡室から病理検査室に搬送する。
【００３２】
次に病理検査室における処理について説明する。病理材料用容器２及び病理依頼書の搬送を行なった搬送者は、病理検査室で病理材料受付記録簿へ受付日の記入及び署名等を行ない、病理材料用容器２に貼り付けられているラベル２０３を剥がし、図４（ｃ）に示すように病理材料受付記録簿に貼り付ける。
【００３３】
病理検査室の病理技師は、搬送されてきた病理材料用容器２内に生検材料３ａ〜３ｃが存在することを確認すると共に、病理材料用容器２に貼り付けられているラベル２００及び病理依頼書に貼り付けられているラベル２０２の容器シリアル番号の一致を確認する。また病理技師は、病理検査ごとに採番する病理番号（Ｐ１６−０１２３４）を発行し病理番号発行台帳に記入する。次に病理技師は、病理材料用容器２に貼り付けられているラベル２０４を剥がし、図４（ｄ）に示すように病理番号発行台帳に貼り付ける。また病理技師は、病理サブシステム（図示せず）に病理番号を入力する。また病理サブシステムを構成する端末に接続されているバーコードリーダを用いて病理材料用容器２に貼り付けられているラベル２００の２次元バーコードを読み取らせて容器シリアル番号を入力する。これにより病理サブシステムは、病理番号と容器シリアル番号とを関連づけて記憶する。また病理サブシステムに接続されるカセット印字機（図示せず）は、病理カセット４０（図５参照）に病理番号の印字を行い、病理カセット４０を排出する。
【００３４】
ここで図５に示すように病理カセット４０は、微小な貫通孔が複数形成された底部４２と、底部４２の周囲に立設された側壁４４と、底部４２と側壁４４による内部空間を６つの収容部４８に仕切る仕切り板４６とにより構成されている。病理カセット４０の長手方向の一方の側壁４４には、下端が外側に突出する傾斜面であって病理番号が印字される表示面４４ａが形成されている。また病理カセット４０は、６つの収容部４６の上部を覆う蓋（図示せず）を備えている。
【００３５】
病理技師は、病理材料用容器２に貼り付けられているラベル２０５を剥がして病理カセット４０の側壁４４に貼り付ける。また病理技師は、病理材料用容器２の蓋体６を開け、生検材料３ａ〜３ｃを貼り付けている濾紙を取り出す。ここで病理診断を行なう病理医は、濾紙から生検材料３ａ〜３ｃ分離し、生検材料３ａ〜３ｃの切り出しを行ない、切り出した生検材料３ａ〜３ｃを病理カセット４０の別々の収容部４８に収容する。病理技師は、病理材料用容器２に貼り付けられているラベル２０６を剥がして病理カセット４０内に載せ、病理カセット４０の上部を蓋によって覆い、パラフィン浸透装置（図示せず）を用いて生検材料３ａ〜３ｃの脱水・脱脂・パラフィン浸透の処理を行なう。
【００３６】
この処理が終了した後、病理技師は、パラフィン浸透装置から病理カセット４０を取り出す。また病理カセット４０から生検材料３ａ〜３ｃを取り出して図６に示すように包埋皿５０に並べ、包埋皿５０上に病理カセット４０を配置する。また病理カセット４０は、ラベル２０６を載せた状態のままにする。
【００３７】
病理技師は、パラフィンブロックの作製を行なう。即ち包埋皿５０の内部及び病理カセット４０の内部にパラフィンを供給し冷却する。そしてパラフィンが固体となった後包埋皿５０を除去する。これにより、図７に示すように病理カセット４０を含んだ状態であり、生検材料３ａ〜３ｃが病理カセット４０の底部４２に位置するパラフィンブロック６０の作製が完了する。
【００３８】
病理技師は、ミクロトーム（図示せず）等を用いてパラフィンブロック内で固定された生検材料３ａ〜３ｃをミクロン（μｍ）単位の厚さで薄切して薄切片を得る薄切処理を行なう。次に病理技師は、薄切片の染色を行なう染色処理及び、染色された薄切片を封入した病理標本のプレパラートを作製する封入処理を行なう。このときプレパラートに病理番号を印字する。
【００３９】
病理技師は、病理カセット４０の側壁４４に貼り付けられているラベル２０５及び病理カセット４０内のラベル２０６の容器シリアル番号と、プレパラートに印字されている病理番号とが病理サブシステムにおいて関連づけられて記憶されていることを確認する。また病理依頼書に貼り付けられているラベル２０２の容器シリアル番号と、病理カセット４０の側壁４４に貼り付けられているラベル２０５及び病理カセット４０内のラベル２０６の容器シリアル番号が一致していることを確認する。
【００４０】
病理技師による確認後、病理医は、病理標本を観察し病理診断を行なう。このとき病理医は、容器シリアル番号とプレパラートに印字されている病理番号に齟齬がないことを確認し、病理診断の結果を記載し署名した病理報告書を作成する。
【００４１】
この実施の形態によれば、生検材料を収容した病理材料用容器２に貼り付けられている各ラベル２０１〜２０６を内視鏡室看護記録、病理依頼書、病理材料受付記録簿、病理番号発行台帳及び病理カセットに貼り付け、病理材料用容器２又は各用紙に貼り付けられているラベル２００〜２０７の容器シリアル番号同士を比較し一致を確認することにより、患者から採取された病理材料の取り違えや患者の取り違えを防止し、患者から採取された病理材料を確実に管理することができる。
【００４２】
また仮に病理材料の取り違えが発生した場合には、病理材料用容器２又は各用紙に貼り付けられているラベル２００〜２０７の容器シリアル番号同士を比較し一致の有無を確認することにより、取り違えが発生した時点を特定することができる。これにより、取り違えの発生理由を検証し、同様の取り違えの発生を防止するための対策を講じる等、取り違えの発生を防止するための仕組みを作ることができる。
【００４３】
また、この実施の形態によれば、ラベル２００〜２０７に２次元バーコードが印字されており、バーコードリーダによって２次元バーコードから容器シリアル番号を読み取るため、病理検査室の病理サブシステムへの容器シリアル番号の入力を簡便化することができる。また電子カルテを取り扱う場合においては、キーボード等で手入力するよりも容器シリアル番号の入力を正確にかつ、簡便に行うことができる。
【００４４】
なお、上述の実施の形態においては、２次元バーコード、容器シリアル番号、ラベルシリアル番号を薬剤耐性を有するインクによってラベル２００〜２０７に印字したが、レーザ光によって刻印するようにしてもよい。
【００４５】
また上述の実施の形態に係る病理材料用容器２の蓋体６にＲＦＩＤタグを備えるようにしてもよい。即ち図８に示すように蓋体６の上面にＲＦＩＤタグ７０を貼り付ける。この場合には、蓋体６の上面に貼り付けられている蓋シール１６の下に貼り付けることが好ましい。また図９に示すように蓋体６の内側にＲＦＩＤタグ７０を貼り付けてもよい。
【００４６】
これらの場合には、図１０に示すタグ書込装置８０により２次元バーコードにより表示されている情報をＲＦＩＤタグ７０に書き込む。即ち図１０（ａ）は、実施の形態に係るタグ書込装置８０の平面図であり、図１０（ｂ）は、タグ書込装置８０の縦断面の概略図である。タグ書込装置８０は、ハンディタイプのハウジング８２を備えている。このハウジング８２は、細長いハンドル部８４と先端を下方に湾曲させた検体情報読取部８６とにより構成されている。また、検体情報読取部８６の先端には、矩形状の開口部８８が形成されている。
【００４７】
ハンドル部８４の上面には、タグ書込装置８０の電源を入れるＯＮボタン９０ａ及び電源を切るＯＦＦボタン９０ｂが配設されている。また、検体情報読取部８６の上面には表示部９２が配設されている。またハウジング８２の下面には、ＲＦＩＤタグ７０に情報を非接触で書き込むタグライタ９４が配設されている。更にハウジング８２内には、開口部８８に対して所定の角度で配設された反射ミラー９６、バーコードリーダ９８が配設されている。
【００４８】
病理材料用容器２の蓋体６にＲＦＩＤタグ７０を備える場合には、タグ書込装置８０のバーコードリーダ９８により病理材料用容器２に貼り付けられているラベル２００の２次元バーコードにより表示されている容器シリアル番号を読み取り、タグライタ９４により容器シリアル番号をＲＦＩＤタグ７０に書き込む。
【００４９】
従って、ＲＦＩＤタグ７０に書き込まれた容器シリアル番号によっても患者から採取された病理材料を確実に管理することができ、患者から採取された病理材料の取り違えや患者の取り違えを防止することができる。またＲＦＩＤタグ７０に容器シリアル番号を記憶させるため、手術室、生検検査室等にタグリーダーを設置しておくことにより、病理材料用容器２に手で触れることなく手術室内や生検検査室内等に存在する病理材料用容器２を確認することができる。また病理材料用容器２の蓋体６にＲＦＩＤタグを備える場合には、タグリーダーにより多数のＲＦＩＤタグの情報を一度に読み取ることができるため、病理材料用容器２の棚管理を容易に行うことができる。
【符号の説明】
【００５０】
２…病理材料用容器、４…容器本体、６…蓋体、８…他端、１６…蓋シール、１８…マルチラベル、２８…ラベル台紙、６０…パラフィンブロック、２００〜２０７…ラベル
【図１】
2018004619.tif 000003
【図２】
2018004619.tif 000004
【図３】
2018004619.tif 000005
【図４】
2018004619.tif 000006
【図５】
2018004619.tif 000007
【図６】
2018004619.tif 000008
【図７】
2018004619.tif 000009
【図８】
2018004619.tif 000010
【図９】
2018004619.tif 000011
【図１０】
2018004619.tif 000012